(57)【要約】      （修正有）【課題】天井材の下地ボード下での施工を可能とし、施工性を向上した壁材を提供する。【解決手段】天井材、壁材、共に取付部の桟木１５をベニヤ板両端より外側に伸ばすことによって、固定具で取り付けを行えるようにし、桟木に、ベニヤ板両端より外側に突き出すように溝が設けられている。【選択図】図８
0003235128.tif 000002
【実用新案登録請求の範囲】
【請求項１】
取付用の桟木を、使用する材は従来のものと寸法を変えずに溝の入れ方を変えることでベニヤ板両端より外側に一部突き出し、留め具を用いて取り付けが可能とした目透かし天井材
【請求項２】
取付用の桟木を、使用する材は従来のものと寸法を変えずに溝の入れ方を変えることでベニヤ板両端より外側に一部突き出し、留め具を用いて取り付けが可能とした目透かし壁材
【考案の詳細な説明】
【技術分野】
【０００１】  本考案は、下地ボード上にも据付可能で、また施工性を向上した和室洋室用の目透かし天井材、壁材に関するものである。
【背景技術】
【０００２】  従来の和室においては、柱、廻り縁に天井材を乗せ、据え付けを行っていた。この際、下地ボードは張られていなかったが、近年では防火基準の改訂などに伴い、天井に下地ボードを張ることが増え、その上から目透かし天井の模様のついた突板クロスやシートを貼る場合が多くなってきている。また、従来の和室において、従来の天井材の据付方法としては、凸部を凹部に差し込んでいく形になっており、部屋の端から端に順に部材を据え付けていく。壁材に関しては壁に対して、目透かし用に単板をまずは貼り、その上から壁材を寸法合わせや直角出しをしながら貼り付ける。
【考案の概要】
【考案が解決しようとする課題】
【０００３】  従来の材形状の課題は２つある。１つ目は、天井材に関してである。近年天井には下地ボードが張られることが増えてきているが、この場合、従来の形状では施工不可能なことである。具体的な理由としては、従来は柱、廻り縁に天井板を乗せていたところ、ボード下地が貼られた状態ではそれらに乗せることができない為である。下地ボード上への取り付けには、下地ボード上に貼り付け、もしくは留め具を使用し固定することが考えられるが、留め具をつけられる部分がなく、また、貼り付けを行うだけでは耐荷重量の観点から安全性を欠いてしまう。【０００４】  ２つ目は、従来の内装においても施工に際し、天井材、壁材ともに高い施工技術が求められ、現場施工者の手技が熟達していることが求められる。その為、施工性を高める必要がある。具体的には施工の難易性、手間、柔軟性に課題がある。天井材と壁材に分けるが、まず天井材では従来の形状では材の形状上、部屋の端から端にかけて順に取り付ける必要がある。例えば［１］から順に［ｎ］もしくは［ｎ］から順に［１］までという順である。ここで、据え付けの際に中央部の天井板中央と柱中央を合うように据え付けるがこれは現場施工者が調整を行う。これは材の差し込み部の差し込み量を調節することで位置を合わせているが、これには現場施工者の経験が必要であり、寸法を調節する為の手間がかかる。また、現場施工者の好みによって端から張っていきたい人もいれば、中央から張っていきたい人もいる。この好みに対応することできない。壁材では従来の形状では、直角だしや寸法出しなどに難易さがあり、手間が多い。
【課題を解決するための手段】
【０００５】  天井材、壁材の取付用の桟木を、使用する材は従来のものと寸法を変えずに溝の入れ方を変えることでベニヤ板両端より外側に一部突き出し、留め具を用いて取り付けが可能とした。これにより、２つの課題を解決する。まず１つ目の課題であるが、天井材をボード下地上に、取付用桟木に留め具を用いて留めることが可能となる。また、桟木を留め具で留め、その上に目透かし板を入れることができる為、留め具が外から見えず美観を保つことができる。【０００６】  ２つ目の課題には、天井材と壁材に分けるが、天井材に関してはこの形状にすることで、どこからでも据え付けることが可能である。端からでも中央からでもその中間からでも可能である。その為、［ｋ］番目の材から開始して［ｋ］から［１］にかけて、次いで［ｋ＋１］から［ｎ］にかけてのように、中央の柱に材中央を合わせてから両端にかけて材を据え付けていくことができる為、位置合わせが簡易になり、寸法を図ることや材接合部の挿しこみ量の調節などの手間を減らすことができる。またどの板からでも据え付け開始できるので、現場施工者の好みに施工手順に柔軟に対応できる。壁材に関しては、隣接する材を突きつけにするだけで良いので位置合わせの手間と直角に合わせる手間が必要なく簡易に施工できる。また天井同様どの位置からでも据え付けることができ現場施工者の好みに柔軟に対応可能である。以上２つが開発した材形状が解決する課題である。
【考案の効果】
【０００７】  従来から使用していた桟木を元の材料を変えることなく使用し加工する為、従来のコストと大きく変えることなく、近年の施工方法に対応した材据付が可能になり、かつ施工性を向上した。
【図面の簡単な説明】
【０００８】
【図１】従来の和室における天井材の据付方法概略図
【図２】下地ボード上に突板クロス及びシート貼りをする概略図
【図３】従来の目透かし天井の形状
【図４】従来の目透かし天井の接続方法
【図５】正面から見た壁材外観
【図６】従来の壁材構造
【図７】本開発による壁材構造
【図８】本開発による天井材、壁材の形状
【図９】本開発による天井材、壁材の取付用桟木接合部の拡大図
【考案を実施するための形態】
【０００９】  天井材、壁材共に取付用桟木を、使用する材は従来のものと寸法を変えずに、溝の入れ方を変えることでベニヤ板両端より外側に一部突き出す形状とした。天井に関しては、天井に下地ボードがある場合、取付用桟木を下地ボードに貼り付けると共に突き出している部分に留め具を用いて下地ボードに固定する。この部分があることで接着剤だけでなく、留め具での固定が可能である。壁材に関しては取付用桟木を突き付けにして貼っていくことで、位置合わせや直角出しができるのでこれらを行う手間を減らすことができる。
【実施例】
【００１０】  以下、添付図面に従って一実施例を説明する。図９は本開発による天井材、壁材の取付用桟木接合部の拡大図である。天井材の場合は４は下地ボード、６は天井材基材、１５は取付用桟木、壁材の場合は４は壁、６は壁材基材、１５は取付用桟木として説明を行う。まず天井に関しては、図の［１］を１枚目の天井材として左右両側の取付用桟木の下地ボードにあたる部分に接着剤を付けてから下地ボードに取付用桟木をあてて貼り付けを行い、次いで取付用桟木の矢印▲１▼の箇所に留め具を用いて留める。そして、目透かし板を溝の部分に差し込む、これで留め具は外側から見えなくなる。次に２枚目の天井材として［２］の天井材を留めるが接着剤を１枚目同様に取付用桟木に付け、溝の部分に目透かし板を差し込みながら貼り付ける。この部分には留め具を用いず、その反対側の取付用桟木の矢印▲２▼の箇所を留め具を用いて留める。【００１１】  壁材に関しては、図の［１］を１枚目の壁材として左右両側の取付用桟木の壁にあたる部分に接着剤を付けてから壁に取付用桟木をあてて貼り付けを行い、次いで取付用桟木の矢印▲１▼の箇所に留め具を用いて留める。そして、目透かし板を溝の部分に差し込む、これで留め具は外側から見えなくなる。次に２枚目の壁材として［２］の壁材を留めるが接着剤を１枚目同様に取付用桟木に付け、溝の部分に目透かし板を差し込みながら貼り付ける。この部分には留め具を用いず、その反対側の取付用桟木の矢印▲２▼の箇所を留め具を用いて留める。
【符号の説明】
【００１２】１    従来の目透かし天井材外観図
２    廻り縁
３    柱
４    下地ボード
５    突板クロス及びシート
６    天井材基材及び壁材基材
７    従来の天井材取付用桟木
８    目透かし板
９    壁材基材
１０  笠木
１１  巾木
１２  従来の壁用目透かし単板
１３  壁
１４  本開発による壁材取付用桟木
１５  本開発による天井材取付用桟木
【図１】
0003235128.tif 000003
【図２】
0003235128.tif 000004
【図３】
0003235128.tif 000005
【図４】
0003235128.tif 000006
【図５】
0003235128.tif 000007
【図６】
0003235128.tif 000008
【図７】
0003235128.tif 000009
【図８】
0003235128.tif 000010
【図９】
0003235128.tif 000011
【手続補正書】
【提出日】令和3年9月3日(2021.9.3)
【手続補正１】
【補正対象書類名】実用新案登録請求の範囲
【補正対象項目名】全文
【補正方法】変更
【補正の内容】
【実用新案登録請求の範囲】
【請求項１】
桟木に、ベニヤ両端より外側に一部突き出すように溝が入れられ、留め具を用いて取り付けが可能とした天井材。
【請求項２】
桟木に、ベニヤ両端より外側に一部突き出すように溝が入れられ、留め具を用いて取り付けが可能とした壁材。